(57)【要約】      （修正有）【課題】遊戯時においてテーブルの高さを遊戯者の体格に合わせて調整することができ、パチンコ台の交換時にも利用可能なパチンコ用テーブルを提供する。【解決手段】上下方向に沿って複数の凹状又は凸状の係止部１３が連続形成されたガイドステー１０を設ける。ガイドステー１０の上下方向に沿ってスライド自在に移動するテーブル支持体２０を設ける。係止部１３のいずれかに係止せしめる凸状又は凹状のロック部３１を有する係止片３０を設ける。テーブル支持体２０の基端部に上下一対のガイドローラー２２を設ける。テーブル支持体２０を持ちガイドステー１０に沿ってテーブル板を上下することで、係止片３０の係止位置を変更してテーブル板４０の支持高さを調整自在に設ける。【選択図】図３
0003142394.tif 000002
【実用新案登録請求の範囲】
【請求項１】
パチンコの島の台装着枠体に装着され上下方向に延長されると共に、上下方向に沿って複数の凹状又は凸状の係止部が連続形成されたガイドステーと、基端部がガイドステーに装着されてガイドステーの上下方向に沿ってスライド自在に移動すると共に、テーブル板を載置固定したテーブル支持体と、テーブル支持体の基端部に固定され前記ガイドステーの選択された係止部のいずれかに係止せしめる凸状又は凹状のロック部を設けた係止片と、からなり、テーブル支持体を持ちガイドステーに沿ってテーブル板を上下することで係止片の係止位置を変更してテーブル板の支持高さを調整自在に設けたことを特徴とするパチンコ用テーブル。
【請求項２】
前記ガイドステーは、島の台装着枠体に固定する上下一対の固定片と、該固定片の間に形成され前記テーブル支持体を上下にスライド支持するスライド片とで側面略コ字状を成し、該スライド片の前側面又は後側面に前記係止部を連設した請求項１記載のパチンコ用テーブル。
【請求項３】
前記テーブル支持体は、前記ガイドステーのスライド片の左右両側に装着する一対のテーブル支持片にて形成され、該テーブル支持片の間で且つスライド片の前側面がわに前記係止片を固定し、スライド片の前側面に連設された係止部を選択して該係止片のロック部を係止するように設けた請求項１又は２記載のパチンコ用テーブル。
【請求項４】
前記スライド片の後側面がわに位置する前記テーブル支持体の基端部に上下一対のガイドローラーを設け、スライド片の長手方向に沿ってテーブル支持体がスライド移動する際にスライド片の後側面に当接して回転しテーブル支持体の上下移動を補助すると共に、スライド片の係止部に係止片のロック部が係止する時に上部のガイドローラーがスライド片の後側面に当接係止するように設けた請求項１乃至３いずれか記載のパチンコ用テーブル。
【請求項５】
前記ガイドステー及び前記係止片は略帯状の金属板にて形成され、複数枚重ねることでガイドステー及び係止片の支持強度を調整自在に設けた請求項１乃至４いずれか記載のパチンコ用テーブル。
【考案の詳細な説明】
【技術分野】
【０００１】
本考案は、スチール製のパチンコの島に装着するテーブルに係り、該テーブルの高さを自由に調整できるパチンコ用テーブルに関する。
【背景技術】
【０００２】
従来のパチンコでは、複数台のパチンコ台を並べて設置するために、所謂、島と称する構造物にパチンコ台が装着されている。この島には、パチンコ台を取り付ける開口部やテーブルなどが予め設けられている。したがって、島のテーブルは作り付けとなっており、テーブルの高さを調整することができないものであった。
【０００３】
一方、本考案者は、先に、特許文献１に示す遊技機交換システムを提案している。このシステムによると、パチンコ台（遊技機）等の交換作業を極めて簡略化することができ、作業者が一人でも簡単にパチンコ台を運搬し、交換することができるようにしたものである。すなわち、このシステムでは、スチール製の島Ｐに台装着枠体を装着しておき、この台装着枠体にパチンコ台を着脱自在に装着するものである。このとき、台装着枠体に固定したテーブルをパチンコ台の交換作業に利用できるようにテーブルの高さや広さを変更自在に設けることで交換用のパチンコ台を載置するなど交換作業を容易にするものである。
【特許文献１】特開２００８‐３６２５１号公報
【考案の開示】
【考案が解決しようとする課題】
【０００４】
従来の島のテーブルは、島に作り付けられているので、テーブルの高さを調整することができなかった。このため、比較的体格の良い者がパチンコで遊ぶには、テーブルの位置が窮屈になる不都合があった。
【０００５】
一方、当考案者が、先に提案した特許文献１の遊技機交換システムでは、パチンコ台の交換作業時にテーブルを上下するものであり、遊戯時に遊戯者の体格に合わせて高さを調整するものではなかった。
【０００６】
そこで本考案は上述の課題を解消すべく案出されたもので、遊戯時においてテーブルの高さを遊戯者の体格に合わせて調整することができ、パチンコ台の交換時にも利用可能なパチンコ用テーブルの提供を目的とするものである。
【課題を解決するための手段】
【０００７】
上述の目的を達成すべく本考案における第１の手段は、パチンコの島Ｐの台装着枠体に装着され上下方向に延長されると共に、上下方向に沿って複数の凹状又は凸状の係止部１３が連続形成されたガイドステー１０と、基端部がガイドステー１０に装着されてガイドステー１０の上下方向に沿ってスライド自在に移動すると共に、テーブル板４０を載置固定したテーブル支持体２０と、テーブル支持体２０の基端部に固定され前記ガイドステー１０の選択された係止部１３のいずれかに係止せしめる凸状又は凹状のロック部３１を設けた係止片３０と、からなり、テーブル支持体２０を持ちガイドステー１０に沿ってテーブル板４０を上下することで係止片３０の係止位置を変更してテーブル板４０の支持高さを調整自在に設けたことにある。
【０００８】
第２の手段の前記ガイドステー１０は、島Ｐの台装着枠体に固定する上下一対の固定片１１と、該固定片１１の間に形成され前記テーブル支持体２０をスライド支持するスライド片１２とで側面略コ字状を成し、該スライド片１２の前側面１２Ａ又は後側面１２Ｂに前記係止部１３を連設したものである。
【０００９】
第３の手段の前記テーブル支持体２０は、前記ガイドステー１０のスライド片１２の左右両側に装着する一対のテーブル支持片２１にて形成され、該テーブル支持片２１の間で且つスライド片１２の前側面１２Ａがわに前記係止片３０を固定し、スライド片１２の前側面１２Ａに連設された係止部１３を選択して該係止片３０のロック部３１を係止するように設けている。
【００１０】
第４の手段は、前記スライド片１２の後側面１２Ｂがわに位置する前記テーブル支持体２０の基端部に上下一対のガイドローラー２２を設け、スライド片１２の長手方向に沿ってテーブル支持体２０がスライド移動する際にスライド片１２の後側面１２Ｂに当接して回転しテーブル支持体２０の上下移動を補助すると共に、スライド片１２の係止部１３に係止片３０のロック部３１が係止する時に上部のガイドローラー２２がスライド片１２の後側面１２Ｂに当接係止するように設けたものである。
【００１１】
第５の手段において、前記ガイドステー１０及び前記係止片３０は略帯状の金属板にて形成され、複数枚重ねることでガイドステー１０及び係止片３０の支持強度を調整自在に設けたことを課題解消のための手段とする。
【考案の効果】
【００１２】
本考案の請求項１により、テーブル支持体２０を持ちガイドステー１０に沿ってテーブル板を上下することで、係止片３０の係止位置を変更してテーブル板４０の支持高さを調整自在に設けているので、遊戯時においてテーブルの高さを遊戯者の体格に合わせて簡単に調整することができる。また、ガイドステー１０やテーブル支持体２０の構造がシンプルであるから、製造が容易でテーブルに必要な強度を備えることができる。しかも、テーブル板４０の高さを調整することで、新旧パチンコ台Ｑの交換時においても、このテーブル板４０を利用することが可能になる。
【００１３】
また、請求項２に記載のガイドステー１０によると、島Ｐに固定する上下一対の固定片１１と、該固定片１１の間に形成され前記テーブル支持体２０をスライド支持するスライド片１２とで側面略コ字状を成しているので、島Ｐの内部構造を利用した装着が容易になる。しかも、スライド片１２に装着したテーブル支持体２０やテーブル板４０を、島Ｐの前面でスムーズに上下移動させることができる。
【００１４】
請求項３に記載のテーブル支持体２０では、前記ガイドステー１０のスライド片１２の左右両側に装着する一対のテーブル支持片２１にて形成されているので、テーブル支持体２０の支持強度が優れ、テーブル支持体２０やテーブル板４０を強固に一体化することができる。また、テーブル支持片２１の間に前記係止片３０を固定してスライド片１２の係止部１３に係止片３０のロック部３１を係止するように設けているので、これらスライド片１２と係止片３０との係止力を極めて強固にすることができる。
【００１５】
請求項４によると、テーブル支持体２０がスライド移動する際にスライド片１２の後側面１２Ｂに当接して回転しテーブル支持体２０の上下移動を補助すると共に、スライド片１２の係止部１３に係止片３０のロック部３１が係止する時に上部のガイドローラー２２がスライド片１２の後側面１２Ｂに当接係止するように設けているので、テーブル支持体２０を持ちガイドステー１０に沿ってテーブル板４０を上下する簡単な操作で、本考案テーブルの高さを容易に調整することができる。しかも、ガイドローラー２２がテーブル支持体２０やテーブル板４０の上下移動をスムーズにしているので、テーブル板４０の高さ調整作業を極めて容易に行うことができる。
【００１６】
請求項５では、ガイドステー１０及び係止片３０を略帯状の金属板にて形成し、これらを複数枚重ねることでガイドステー１０及び係止片３０の支持強度を自由に調整することができる。したがって、テーブル板４０のサイズや材質等に適応した強度のガイドステー１０や係止片３０の提供が可能であるから、各店舗によって任意のテーブルを選択使用することができる。また、これらの支持強度を高めることで、パチンコ台Ｑの交換時においても本考案テーブルを利用することが可能になる。
【００１７】
このように、本考案によると、遊戯時にテーブルの高さを遊戯者の体格に合わせて調整することができ、パチンコ台Ｑの交換時にも利用可能であるなどといった実用上有益な種々の効果を奏するものである。
【考案を実施するための最良の形態】
【００１８】
本考案テーブルの最良の形態は、パチンコの島Ｐの台装着枠体に装着固定し、上下方向に延長すると共に、上下方向に沿って複数の凹状又は凸状の係止部１３が連続形成されたガイドステー１０を設ける。基端部がガイドステー１０に装着してガイドステー１０の上下方向に沿ってスライド自在に移動すると共に、テーブル板４０を載置固定したテーブル支持体２０を設ける。テーブル支持体２０の基端部に固定され前記ガイドステー１０の選択された係止部１３のいずれかに係止せしめる凸状又は凹状のロック部３１を有する係止片３０を設ける。基端部をガイドステー１０に装着してガイドステー１０の上下方向に沿ってスライド自在に移動すると共に、テーブル板４０を載置固定するテーブル支持体２０を設ける。スライド片１２の後側面１２Ｂがわに位置する前記テーブル支持体２０の基端部に上下一対のガイドローラー２２を設ける。スライド片１２の長手方向に沿ってテーブル支持体２０がスライド移動する際にスライド片１２の後側面１２Ｂに当接して回転しテーブル支持体２０の上下移動を補助すると共に、スライド片１２の係止部１３に係止片３０のロック部３１が係止する時に上部のガイドローラー２２がスライド片１２の後側面１２Ｂに当接係止するように設ける。テーブル支持体２０を持ちガイドステー１０に沿ってテーブル板を上下することで、係止片３０の係止位置を変更してテーブル板４０の支持高さを調整自在に設けることで当初の目的を達成するものである。
【実施例】
【００１９】
以下、本考案の一実施例を説明する。本考案は、スチール製の島Ｐの台装着枠体に装着するもので（図１参照）、ガイドステー１０、テーブル支持体２０、係止片３０、テーブル板４０を基本構成としている（図２参照）。台装着枠体は、スチール製の島Ｐの開口部に装着されており、この台装着枠体にパチンコ台Ｑを着脱自在に装着するものである。
【００２０】
ガイドステー１０は、この台装着枠体に一対固定され、上下方向に延びる部材である（図３参照）。図示のガイドステー１０は、固定片１１とスライド片１２で側面略コ字状を成している。固定片１１は、上下一対の部材で略水平状態に島Ｐに固定し、固定片１１の間に形成した略垂直状態のスライド片１２が島Ｐの前面に突出するように装着する。このとき、島Ｐの台装着枠体の内部構造によっては、固定片１１にスペーサー１４を重合することで固定位置の調整が可能になる（図２参照）。図示のガイドステー１０は、ガイドステー１０を略帯状の金属板にて形成し、これを複数枚重ねることでガイドステー１０の支持強度を調整自在に設けている。また、スライド片１２が交合に重合するように設けるなど、各ガイドステー１０の組み合わせ方を変更することで、より強度に優れたガイドステー１０を提供することも可能である（図５参照）。
【００２１】
ガイドステー１０のスライド片１２は、固定片１１の間に形成されており、後述するテーブル支持体２０を支持する部材で、略垂直方向に延長されている。そして、このスライド片１２の前側面１２Ａ又は後側面１２Ｂに複数の凹状又は凸状の係止部１３が連続形成されている。図示例では、スライド片１２の前側面１２Ａに沿って凹状の係止部１３を連設した状態を示している。
【００２２】
テーブル支持体２０は、ガイドステー１０のスライド片１２に沿って上下方向にスライド移動する部材で、テーブル支持体２０の基端部がガイドステー１０のスライド片１２に装着されている（図３参照）。更に、このテーブル支持体２０の上にテーブル板４０を載置固定する。図示のテーブル支持体２０は、スライド片１２の左右両側に装着する左右一対のテーブル支持片２１にて形成されている。このテーブル支持片２１は、ガイドステー１０に装着する基端部２１Ａに互いのテーブル支持片２１を連結する連結孔２３を開穿してあり、連結用のビスやネジ等で基端部２１Ａ相互を連結する。このとき、この基端部２１Ａの間に係止片３０を固定してスライド片１２に設けた係止部１３に係合するように設けている（図２参照）。
【００２３】
一方、テーブル支持片２１の先端部２１Ｂは、島Ｐの前面方向に略水平に延長されており、この先端部２１Ｂの上にテーブル板４０を載置して固定する（図３参照）。そのため、先端部２１Ｂの上部に略水平に屈曲された連結片２４を形成し、この連結片２４とテーブル板４０とを連結固定するものである（図２参照）。また、この連結片２４を先端部２１Ｂ全体に設けることで、テーブル支持片２１の強度を高める効果もある。
【００２４】
係止片３０は、ガイドステー１０の選択された係止部１３のいずれかに係止せしめる凸状又は凹状のロック部３１を設けている（図３参照）。図示の係止片３０は、凸状のロック部３１を設けてあり、スライド片１２の前側面１２Ａに連設された凹状の係止部１３に係止するものである。また、この係止片３０は略帯状の金属板にて形成され、同一形状の係止片３０を複数枚重ねることで係止片３０の支持強度を調整自在に設けている（図４参照）。図示例では、テーブル支持片２１の基端部２１Ａ相互の間に、適数枚の係止片３０を挟み込んで固定する。
【００２５】
テーブル支持片２１の基端部２１Ａに上下一対のガイドローラー２２を設けている（図３参照）。このガイドローラー２２は、スライド片１２の後側面１２Ｂがわに配置されたもので、テーブル支持体２０がスライド片１２の長手方向に沿ってスライド移動する際に、スライド片１２の後側面１２Ｂに当接して回転するローラーである。このガイドローラー２２の回転により、テーブル支持体２０の上下移動を補助しスムーズにするものである。また、上下のガイドローラー２２のうち上部のガイドローラー２２は、スライド片１２の係止部１３に係止片３０のロック部３１が係止する時に、スライド片１２の後側面１２Ｂに当接係止する。図示例では、テーブル支持片２１の基端部２１Ａ相互を連結するようにガイドローラー２２が設けられている。
【００２６】
本考案テーブルの高さを調整するには、テーブル支持体２０やテーブル板４０を持ってテーブル支持体２０の先端部２１Ｂを持ち上げると、係止部１３からロック部３１が外れると共に、上下のガイドローラー２２がスライド片１２の後側面１２Ｂに当接する。この状態でテーブル板４０の位置を上下にスライド調整した後は、持ち上げていた先端部２１Ｂを下げることで、ロック部３１が係止部１３に係合すると共に、上部のガイドローラー２２がスライド片１２の後側面１２Ｂに当接し、テーブル板４０の位置が固定されるものである（図３参照）。
【００２７】
尚、本考案は、図示例に限定されるものではなく、たとえば、ガイドステー１０、テーブル支持体２０、係止片３０、テーブル板４０などの設計変更は勿論、形状やサイズの変更など、本考案の要旨を変更しない範囲において自由に変更できるものである。
【図面の簡単な説明】
【００２８】
【図１】本考案テーブルを装着した例を示す概略斜視図である。
【図２】本考案テーブルの分解斜視図である。
【図３】本考案テーブルの装着状態を示す側面図である。
【図４】本考案テーブルの装着状態を示す一部切り欠き平面図である。
【図５】本考案のガイドステーの他の実施例を示す斜視図である。
【符号の説明】
【００２９】
Ｐ  島
Ｑ  パチンコ台
１０  ガイドステー
１１  固定片
１２  スライド片
１２Ａ  前側面
１２Ｂ  後側面
１３  係止部
１４  スペーサー
２０  テーブル支持体
２１  テーブル支持片
２１Ａ  基端部
２１Ｂ  先端部
２２  ガイドローラー
２３  連結孔
２４  連結片
３０  係止片
３１  ロック部
４０  テーブル板
４１  連結孔
【図１】
0003142394.tif 000003
【図２】
0003142394.tif 000004
【図３】
0003142394.tif 000005
【図４】
0003142394.tif 000006
【図５】
0003142394.tif 000007